(57)【特許請求の範囲】
【請求項１】
タイヤ加硫成形用金型に形成された多数のベントホールに、中心部に筒状の排気穴を形成した円筒状のシリンダーと、このシリンダーの排気穴内に所定の間隙を隔てて挿入された樹脂製のバルブとで構成される排気プラグを着脱可能に装着して成るタイヤ加硫成形用金型の排気装置であって、
前記円筒状のシリンダーの上面に対して樹脂製のバルブの上面が低くなるように配設し、シリンダーの上面とバルブの上面との間に所定の高さの段差(h) を設け、前記段差(h) が、0.1mm ≦(h) ≦0.5mm であることを特徴とするタイヤ加硫成形用金型の排気装置。
【発明の詳細な説明】
【技術分野】
【０００１】
この発明は、タイヤ加硫成形用金型の排気装置に係わり、更に詳しくはタイヤ加硫成形時の排気ガスに含まれる不純物による目詰まりを防止し、排気効率を高めると共に耐久性を向上させることが出来るタイヤ加硫成形用金型の排気装置に関するものである。
【背景技術】
【０００２】
従来、タイヤ加硫工程で使用されるタイヤ成形用金型には、タイヤ加硫成形時に金型内面と未加硫タイヤとの間に残留したエアーや、加硫時に発生するガスを金型外部に排気させるために、ベントホールと呼称される多数の細い排気穴が形成されている。
【０００３】
この多数のベントホールは、一般的に金型のエアーが残り易い箇所に加工され、例えば、ビードリング、リムクション、サイド部等に対応する金型の同一周上の８ヶ所以上に加工されており、周列数はタイヤ形状によって異なっている。また、タイヤトレッド部の溝に囲まれた金型のデザインブロック内のベントホールは、１ヶ所以上加工されている。
【０００４】
然しながら、多数のベントホールを備えた金型によりタイヤを加硫成形すると、多数のベントホールに加硫ゴムが流れ込み、製品タイヤの表面には多数の髭状の突起（スピュー）が発生する。このため、タイヤ成形後のタイヤ仕上げ工程では、上記のスピューを切除する作業が不可欠となり、作業性及び生産性を阻害させるばかりか、切除したスピューの屑が多数散らばって作業環境を悪化させ、更に製品タイヤの外観を向上させることが難しいと言う問題があった。
【０００５】
そこで、近年ではスピュー屑の廃止（環境改善）や、タイヤの外観向上への要望から、加硫直後のタイヤ表面に前記スピューを発生させないようにした排気装置や、エアー抜き穴に弁を設けた加硫金型が提案されている（例えば、特許文献１，特許文献２参照）。
【０００６】
然しながら、このような排気装置等は、残留したエアーや加硫時に発生するガスを排気する際、ベントホールに装着する円筒状のシリンダーと、このシリンダーの排気穴に嵌合する樹脂製のバルブとの間隙にタイヤ加硫時に発生する不純物が残留し易く、排気効率が極めて悪い上に、耐久性の面で問題があった。
【０００７】
また上記のような排気装置を取り付けたタイヤ加硫成形用金型の内面は、目詰まり防止用として定期的にクリーニングしているが、このクリーニングにおいて微粒研磨剤を含んだエアーブラストを用いた場合に、図５（ａ）（ブラスト前），（ｂ）（ブラスト後）及び図６（ａ）（ブラスト前），（ｂ）（ブラスト後）に示すように中心部に筒状の排気穴１を形成した円筒状のシリンダー２と、このシリンダー２の排気穴１内に所定の間隙ｔを隔てて挿入された樹脂製のバルブ３とで構成される排気プラグ４において、樹脂製のバルブ３の上端３ａがへたり（上端３ａが左右に撓む）、バルブ３が挿入された円筒状のシリンダー２との隙間ｔを閉鎖して排気効率を悪化させると言う問題があった。
【特許文献１】特開平９−３１４５６７号公報
【特許文献２】特開２００１−２３２６４２公報
【発明の開示】
【発明が解決しようとする課題】
【０００８】
この発明はかかる従来の問題点に着目し、排気装置の樹脂製バルブの上端のへたりを防止すると共に、タイヤ加硫成形時の排気ガスに含まれる不純物による目詰まりを防止し、排気効率を高めると共に耐久性を向上させることが出来るタイヤ加硫成形用金型の排気装置を提供することを目的とするものである。
【課題を解決するための手段】
【０００９】
この発明は上記目的を達成するため、この発明のタイヤ加硫成形用金型の排気装置は、タイヤ加硫成形用金型に形成された多数のベントホールに、中心部に筒状の排気穴を形成した円筒状のシリンダーと、このシリンダーの排気穴内に所定の間隙を隔てて挿入された樹脂製のバルブとで構成される排気プラグを着脱可能に装着して成るタイヤ加硫成形用金型の排気装置であって、前記円筒状のシリンダーの上面に対して樹脂製のバルブの上面が低くなるように配設し、シリンダーの上面とバルブの上面との間に所定の高さの段差(h) を設け、前記段差(h) が、0.1mm ≦(h) ≦0.5mm であることを要旨とするものである。
【００１０】
このように構成することで、排気装置の樹脂製バルブの上端のへたりを防止すると共に、タイヤ加硫成形時のタイヤ加硫成形時の排気ガスに含まれる不純物による目詰まりを防止し、排気効率を高めると共に耐久性を向上させることが出来るものである。
【発明の効果】
【００１１】
この発明は上記のように構成したので、排気装置の樹脂製バルブの上端のへたりを防止して、タイヤ加硫成形時の排気ガスに含まれる不純物による目詰まりを防止し、排気効率を高めると共に耐久性を向上させることが出来、更にタイヤ加硫成形時に、タイヤ表面にスピューを発生させることなく外観の良好なタイヤを成形できる効果がある。
【発明を実施するための最良の形態】
【００１２】
以下、添付図面に基づき、この発明の実施形態を説明する。
【００１３】
図１はこの発明を実施したタイヤ加硫成形用金型のベントホールに装着した排気装置の一部拡大断面図を示し、図２は図１のＡ−Ａ矢視平面図を示し、前記タイヤ成形用金型の金型１１には、タイヤ加硫成形時に、金型１１とタイヤＷとの間に溜まった空気やガスＱを排気するための多数のベントホール１２が形成されている。
【００１４】
前記各ベントホール１２は、この実施形態では金型１１の内面１１ａから金型外部１１ｂに向かって貫通し、この各ベントホール１２内には排気プラグ１４が着脱可能に装着されている。また前記排気プラグ１４は、前記ベントホール１２に着脱可能に装着される中心部に筒状の排気穴１５を形成した円筒状のシリンダー１６と、このシリンダー１６の排気穴１５内に所定の間隙ｔ’を隔てて挿入された樹脂製のバルブ１７とで構成され、この発明のタイヤ加硫成形用金型の排気装置を構成するものである。
【００１５】
そして、この発明の実施形態では、前記円筒状のシリンダー１６の上面１６ａに対して樹脂製のバルブ１７の上面１７ａが若干低くなるように配設し、シリンダー１６の上面１６ａと樹脂製のバルブ１７の上面１７ａとの間に所定の高さの段差(h) を設けるものである。
【００１６】
これにより、排気装置の樹脂製のバルブ１７の上端１７ｘのへたりを防止すると共に、タイヤ加硫成形時の排気ガスに含まれる不純物による目詰まりを防止し、排気効率を高めると共に耐久性を向上させることが出来る。
【００１７】
前記段差(h) は、0.1mm ≦(h) ≦0.5mm が好ましく、段差(h) 部分は、加硫後のタイヤでは凸状となるが、0.5mm ≦(h) となる段差(h) を設けた場合、加硫後のタイヤ凸部が目立ち、外観上好ましくなく、また段差(h) 部分を(h) ≦0.1mm とした場合には、樹脂製のバルブ１７の上端１７ｘのへたり等の十分な改善効果は期待出来ない。
【００１８】
図３（ａ），（ｂ）は、この発明の排気装置の他の実施形態を示し、この実施形態は、円筒状のシリンダー１６の上面１６ａと、樹脂製のバルブ１７の上面１７ａとが面一となるように形成し、そして、前記シリンダー１６の上端内面側１６ｘ、または樹脂製のバルブ１７の上端１７ｘとの少なくとも一方（両方でも良い）を、図３（ａ），（ｂ）に示すように面取り加工Ｓ（またはアール加工）を施したものである。
【００１９】
このように形成することで、上記第１実施形態のように、シリンダー１６の上面１６ａと樹脂製のバルブ１７の上面１７ａとの間に所定の高さの段差(h) を設けなくとも、樹脂製のバルブ１７の上端１７ｘのへたりを防止すると共に、タイヤ加硫成形時の排気ガスに含まれる不純物による目詰まりを防止し、排気効率を高めると共に耐久性を向上させることが出来るものである。
【００２０】
そして、上記のように形成された各実施形態の排気装置を、タイヤ加硫成形用金型の金型１１に形成された多数のベントホール１２に着脱可能に装着することで、タイヤ加硫成形用金型を構成するものである。
【００２１】
更に、上記のような多数のベントホール１２に排気装置を着脱可能に装着したタイヤ加硫成形用金型を用いて製造したタイヤＷを図４に示している。このタイヤＷは、タイヤ加硫時における溶融状態の加硫ゴムがベントホール１２内に流れ込むことはなく、従ってスピューの発生はなく、微細な痕跡Ｓのみであって外観の良好なタイヤＷを製造することが出来るものである。
【図面の簡単な説明】
【００２２】
【図１】図１はこの発明の実施形態を示すタイヤ加硫成形用金型のベントホールに装着した排気装置の一部拡大断面図である。
【図２】図１のＡ−Ａ矢視平面図である。
【図３】（ａ），（ｂ）は、この発明の排気装置の他の実施形態を示す一部拡大断面図である。
【図４】この発明にかかる排気装置を装着したタイヤ成形用金型で製造したタイヤの一部斜視図である。
【図５】（ａ），（ｂ）は、従来の排気装置のブラスト前とブラスト後の状態を示す一部拡大断面図である。
【図６】（ａ），（ｂ）は、従来の排気装置のブラスト前とブラスト後の状態を示す一部拡大断面図である。
【符号の説明】
【００２３】
１排気穴
２シリンダー
３バルブ
３ａバルブの上端
４排気プラグ
ｔ間隙
１１タイヤ成形用金型の金型
１１ａ金型の内面
１１ｂ金型外部
１２ベントホール
１４排気プラグ
１５排気穴
１６シリンダー
１６ａ上面
１７バルブ
１７ｘ上端
(h) 段差
Ｗタイヤ
Ｑガス
【図１】
0005206062.tif 000002
【図２】
0005206062.tif 000003
【図３】
0005206062.tif 000004
【図４】
0005206062.tif 000005
【図５】
0005206062.tif 000006
【図６】
0005206062.tif 000007